(57)【要約】【課題】簡易な構成のあらゆる携帯電話について、特定の場所におけるその存在を検知すること。【解決手段】所定の空間に電波を発すると共に携帯電話からの送信データを受信するアンテナ１１と、所定の空間の位置とは異なる位置を表す位置情報をアンテナを介して送信すると共に、当該アンテナを介して携帯電話からの送信データを受信する擬似基地局装置１３と、擬似基地局装置にて受信した携帯電話からの送信データに基づいて所定の空間に携帯電話が存在することを検知する判定手段１４と、を備えた。【選択図】図１
2007134881.tif 000002
【特許請求の範囲】
【請求項１】
所定の空間に電波を発すると共に携帯電話からの送信データを受信するアンテナと、
前記所定の空間の位置とは異なる位置を表す位置情報を前記アンテナを介して送信すると共に、当該アンテナを介して前記携帯電話からの送信データを受信する擬似基地局装置と、
前記擬似基地局装置にて受信した前記携帯電話からの送信データに基づいて前記所定の空間に携帯電話が存在することを検知する判定手段と、
を備えたことを特徴とする携帯電話検知システム。
【請求項２】
前記判定手段は、前記受信した送信データに基づいて当該送信データが前記擬似基地局装置に対する位置登録要求データであることを判定して前記所定の空間に携帯電話が存在することを検知する、
ことを特徴とする請求項１記載の携帯電話検知システム。
【請求項３】
前記判定手段は、前記受信した携帯電話からの送信データに前記擬似基地局装置が送信した位置情報が含まれている場合に、当該送信データが前記擬似基地局装置に対する位置登録要求データであると判定する、
ことを特徴とする請求項２記載の携帯電話検知システム。
【請求項４】
前記擬似基地局装置は、予め種々の携帯電話にて利用可能な通信方式を表す通信方式データを記憶すると共に、この通信方式データに基づいて、前記アンテナから送信する電波の通信方式を切り替える機能を有する、
ことを特徴とする請求項１，２又は３記載の携帯電話検知システム。
【請求項５】
前記アンテナは、指向性アンテナである、
ことを特徴とする請求項１，２，３又は４記載の携帯電話検知システム。
【請求項６】
前記擬似基地局装置が前記アンテナを介して送信する電波は、微弱電波である、
ことを特徴とする請求項１，２，３，４又は５記載の携帯電話検知システム。
【請求項７】
前記擬似基地局装置が前記アンテナを介して送信する位置情報は、存在しない位置情報である、
ことを特徴とする請求項１，２，３，４，５又は６記載の携帯電話検出システム。
【請求項８】
前記判定手段によって携帯電話を検知したことを所定機器に通知する通知手段を備えた、
ことを特徴とする請求項１，２，３，４，５，６又は７記載の携帯電話検知システム。
【請求項９】
前記判定手段は、前記受信した携帯電話からの送信データから当該携帯電話の識別情報を抽出し、
前記通知手段は、前記抽出した識別情報を前記所定の機器に通知する、
ことを特徴とする請求項８記載の携帯電話検知システム。
【請求項１０】
所定の空間の位置とは異なる位置を表す位置情報を、当該所定の空間に設置されたアンテナを介して送信すると共に、当該アンテナを介して携帯電話からの送信データを受信する電波送受信手段と、
受信した前記携帯電話からの送信データに基づいて前記所定の空間に携帯電話が存在することを検知する判定手段と、
を備えたことを特徴とする携帯電話検知装置。
【請求項１１】
前記判定手段は、前記受信した送信データに基づいて当該送信データが前記位置情報の送信元に対する位置登録要求データであることを判定して前記所定の空間に携帯電話が存在することを検知する、
ことを特徴とする請求項１０記載の携帯電話検知装置。
【請求項１２】
前記判定手段は、前記受信した携帯電話からの送信データに前記異なる位置情報が含まれている場合に、当該送信データが位置登録要求データであると判定する、
ことを特徴とする請求項１１記載の携帯電話検知装置。
【請求項１３】
予め種々の携帯電話にて利用可能な通信方式を表す通信方式データを記憶する通信方式データ記憶手段を備えると共に、
前記電波送受信手段は、前記通信方式データに基づいて前記アンテナから送信する電波の通信方式を切り替える機能を有する、
ことを特徴とする請求項１０，１１又は１２記載の携帯電話検知装置。
【請求項１４】
１台又は複数台のコンピュータに、
所定の空間の位置とは異なる位置を表す位置情報を、当該所定の空間に設置されたアンテナを介して送信すると共に、当該アンテナを介して携帯電話からの送信データを受信する電波送受信手段と、
受信した前記携帯電話からの送信データに基づいて前記所定の空間に携帯電話が存在することを検知する判定手段と、
を実現するためのプログラム。
【請求項１５】
前記判定手段は、前記受信した送信データに基づいて当該送信データが前記位置情報の送信元に対する位置登録要求データであることを判定して前記所定の空間に携帯電話が存在することを検知する、
ことを特徴とする請求項１４記載のプログラム。
【請求項１６】
前記判定手段は、前記受信した携帯電話からの送信データに前記異なる位置情報が含まれている場合に、当該送信データが位置登録要求データであると判定する、
ことを特徴とする請求項１５記載のプログラム。
【請求項１７】
前記電波送受信手段は、通信方式データ記憶手段に記憶された種々の携帯電話にて利用可能な通信方式を表す通信方式データに基づいて前記アンテナから送信する電波の通信方式を切り替える機能を有する、
ことを特徴とする請求項１４，１５又は１６記載のプログラム。
【請求項１８】
所定の空間の位置とは異なる位置を表す位置情報を当該所定の空間に送信する電波送信工程と、前記異なる位置情報の送信に対して携帯電話から送信される送信データを受信する送信データ受信工程と、この受信した送信データに基づいて前記所定の空間に携帯電話が存在することを検知する携帯電話検知工程と、を有する、
ことを特徴とする携帯電話検知方法。
【請求項１９】
前記携帯電話検知工程は、前記受信した送信データに基づいて当該送信データが前記位置情報の送信元に対する位置登録要求データであることを判定して前記所定の空間に携帯電話が存在することを検知する、
ことを特徴とする請求項１８記載の携帯電話検知方法。
【請求項２０】
前記携帯電話検知工程は、前記受信した携帯電話からの送信データに前記異なる位置情報が含まれている場合に、当該送信データが位置登録要求データであると判定する、
ことを特徴とする請求項１９記載の携帯電話検知方法。
【請求項２１】
前記電波送信工程は、通信方式データ記憶手段に記憶された種々の携帯電話にて利用可能な通信方式を表す通信方式データに基づいて電波の通信方式を切り替えて送信する、
ことを特徴とする請求項１８，１９又は２０記載の携帯電話検知方法。
【発明の詳細な説明】
【技術分野】
【０００１】
本発明は、携帯電話検知システムにかかり、特に、位置登録機能を有する携帯電話の存在を検知するシステムに関する。
【背景技術】
【０００２】
近年、携帯電話が急速に普及し、多くの人に所持されている。そして、利用頻度も増え、ユーザは、通常、携帯電話の電源を入れた状態、つまり、待ち受け状態で所持していることが多い。
【０００３】
そして、携帯電話は、待ち受け状態では、下記特許文献１に示されるよう一般的には以下のように作動する。まず、無線基地局からは自局の位置情報として基地局コードが一定時間毎に送信されている。携帯電話は、無線基地局から送信されてくる基地局コードを受信すると、受信した基地局コードを時刻情報と共に登録基地局コードメモリに記憶しておく。そして、一定の次回が経過し、次に最新の基地局コードを受信すると、この受信した基地局コードと、登録基地局コードメモリに記憶されている基地局コードと、が一致するか否かを判断する。このとき、基地局コードが不一致の場合には、それまで位置登録を行っていた無線ゾーンから別の無線基地局の無線ゾーンに移動したものと判断し、受信した基地局コードとその時の時刻情報とを登録基地局コードメモリに記憶させると共に、位置登録要求信号と自己のＩＤコードと受信した基地局コードとを、無線基地局に送信する。これにより、携帯電話の位置を常時登録しておくことで、携帯電話の位置に応じた無線基地局を用いて効率よく通信を行うことができる。
【０００４】
一方で、上述したように、常時行われている携帯電話の位置登録では、基地局がカバーする広範囲な位置が登録されるだけであって、携帯電話所持者の詳細な位置を特定することは困難である。従って、さらなる詳細な位置検出を行うためには、上記特許文献２に開示されているように、ＧＰＳ機能を搭載した携帯電話を用いることが要求される。なお、特許文献２では、子供や老人の行き先を検知したり、所定のエリアへの侵入を監視する、ことを想定している。
【０００５】
【特許文献１】特開平９−２２４２８０号公報
【特許文献２】特開２００４−３２８０１８号公報
【発明の開示】
【発明が解決しようとする課題】
【０００６】
しかしながら、上記従来例では、携帯電話の詳細な位置を検出するためには、高価なＧＰＳ機能を搭載した携帯電話を利用しなければならない、という問題が生じる。逆に、特定の場所において、不特定の人の侵入を検出したり、携帯電話の電源の入力状態を検出する場合にも、ＧＰＳ機能を搭載した携帯電話に対してしか作動しない、という問題が生じる。
【０００７】
このため、本発明では、上記従来例の有する不都合を改善し、特に、簡易な構成のあらゆる携帯電話について、特定の場所におけるその存在を検知することができるシステムを提供する、ことをその目的とする。
【課題を解決するための手段】
【０００８】
そこで、本発明の一形態である携帯電話検知システムは、
所定の空間に電波を発すると共に携帯電話からの送信データを受信するアンテナと、
所定の空間の位置とは異なる位置を表す位置情報をアンテナを介して送信すると共に、当該アンテナを介して携帯電話からの送信データを受信する擬似基地局装置と、
擬似基地局装置にて受信した携帯電話からの送信データに基づいて所定の空間に携帯電話が存在することを検知する判定手段と、
を備えたことを特徴としている。
【０００９】
そして、上記判定手段は、受信した送信データに基づいて当該送信データが擬似基地局装置に対する位置登録要求データであることを判定して所定の空間に携帯電話が存在することを検知する、ことを特徴としている。さらに、判定手段は、受信した携帯電話からの送信データに擬似基地局装置が送信した位置情報が含まれている場合に、当該送信データが擬似基地局装置に対する位置登録要求データであると判定する、ことを特徴としている。
【００１０】
上記発明によると、まず、所定の空間に設置されたアンテナを介して、擬似基地局装置からアンテナの現在位置とは異なる位置情報が送信される。すると、その空間にて電源が入れられた状態の携帯電話は、上記異なる位置情報の電波を受信するが、自己の記録している実際の位置情報とは異なるため、位置登録要求情報を送信する。この送信データをアンテナを介して擬似基地局装置が受信する。その後、この送信データに基づいて、例えば、送信データに擬似基地局装置から送信された位置情報が含まれているか、ということに基づいて、送信データが擬似基地局装置に対する位置登録要求といった応答であることを判断し、所定の空間に携帯電話が存在することを検知する。従って、携帯電話を検知することで、それを所持している人の検知を行ったり、携帯電話の電源が入っていることの検知を行うことができ、セキュリティシステムなど種々の用途が可能である。
【００１１】
また、擬似基地局装置は、予め種々の携帯電話にて利用可能な通信方式を表す通信方式データを記憶すると共に、この通信方式データに基づいて、アンテナから送信する電波の通信方式を切り替える機能を有する、ことを特徴としている。これにより、様々な通信方式の携帯電話から応答を得ることができ、あらゆる携帯電話の検知が可能となる。
【００１２】
また、アンテナは、指向性アンテナである、ことを特徴としている。このように指向性アンテナを用いることで、より所定の空間にのみに異なる位置情報を含む電波を送信することができ、他の電波との干渉を低減することができる。従って、かかる範囲内における携帯電話の検知精度の向上を図ることができる。
【００１３】
また、擬似基地局装置がアンテナを介して送信する電波は、微弱電波である、ことを特徴としている。これにより、異なる位置情報を含む電波が所定の空間以外に漏れることを抑制することができ、通信の混乱を避けることができる。
【００１４】
また、擬似基地局装置がアンテナを介して送信する位置情報は、存在しない位置情報である、ことを特徴としている。これにより、全く存在しない位置を用いることで、誤った位置登録を抑制できる。
【００１５】
さらに、上記システムは、判定手段によって携帯電話を検知したことを所定機器に通知する通知手段を備えた、ことを特徴としている。このとき、判定手段は、受信した携帯電話からの送信データから当該携帯電話の識別情報を抽出し、通知手段は、抽出した識別情報を所定の機器に通知する、ことを特徴としている。これにより、セキュリティ会社に通報して不正侵入者を通知したり、携帯電話の電源が入っていることを飛行機搭乗時に通知するなど、本発明を種々の用途に利用することができる。特に、携帯電話の識別情報から個人を特定することも容易となる。
【００１６】
また、本発明の他の形態である携帯電話検視装置は、
所定の空間の位置とは異なる位置を表す位置情報を、当該所定の空間に設置されたアンテナを介して送信すると共に、当該アンテナを介して携帯電話からの送信データを受信する電波送受信手段と、
受信した携帯電話からの送信データに基づいて所定の空間に携帯電話が存在することを検知する判定手段と、
を備えたことを特徴としている。
【００１７】
そして、判定手段は、受信した送信データに基づいて当該送信データが位置情報の送信元に対する位置登録要求データであることを判定して所定の空間に携帯電話が存在することを検知する、ことを特徴としている。また、判定手段は、受信した携帯電話からの送信データに異なる位置情報が含まれている場合に、当該送信データが位置登録要求データであると判定する、ことを特徴としている。
【００１８】
さらに、上記携帯電話検知装置は、予め種々の携帯電話にて利用可能な通信方式を表す通信方式データを記憶する通信方式データ記憶手段を備えると共に、電波送受信手段は、通信方式データに基づいてアンテナから送信する電波の通信方式を切り替える機能を有する、ことを特徴としている。
【００１９】
また、本発明の他の形態であるプログラムは、
１台又は複数台のコンピュータに、
所定の空間の位置とは異なる位置を表す位置情報を、当該所定の空間に設置されたアンテナを介して送信すると共に、当該アンテナを介して携帯電話からの送信データを受信する電波送受信手段と、
受信した前記携帯電話からの送信データに基づいて所定の空間に携帯電話が存在することを検知する判定手段と、
を実現することを特徴としている。
【００２０】
そして、判定手段は、受信した送信データに基づいて当該送信データが位置情報の送信元に対する位置登録要求データであることを判定して所定の空間に携帯電話が存在することを検知する、ことを特徴としている。また、判定手段は、受信した携帯電話からの送信データに異なる位置情報が含まれている場合に、当該送信データが位置登録要求データであると判定する、ことを特徴としている。
【００２１】
さらに、上記プログラムでは、電波送受信手段は、通信方式データ記憶手段に記憶された種々の携帯電話にて利用可能な通信方式を表す通信方式データに基づいてアンテナから送信する電波の通信方式を切り替える機能を有する、ことを特徴としている。
【００２２】
また、本発明の他の形態である携帯電話検知方法は、所定の空間の位置とは異なる位置を表す位置情報を当該所定の空間に送信する電波送信工程と、異なる位置情報の送信に対して携帯電話から送信される送信データを受信する送信データ受信工程と、この受信した送信データに基づいて所定の空間に携帯電話が存在することを検知する携帯電話検知工程と、を有することを特徴としている。
【００２３】
そして、携帯電話検知工程は、受信した送信データに基づいて当該送信データが位置情報の送信元に対する位置登録要求データであることを判定して所定の空間に携帯電話が存在することを検知する、ことを特徴としている。また、携帯電話検知工程は、受信した携帯電話からの送信データに異なる位置情報が含まれている場合に、当該送信データが位置登録要求データであると判定する、ことを特徴としている。
【００２４】
さらに、上記携帯電話検知方法では、電波送信工程は、通信方式データ記憶手段に記憶された種々の携帯電話にて利用可能な通信方式を表す通信方式データに基づいて電波の通信方式を切り替えて送信する、ことを特徴としている。
【００２５】
上述した構成の装置、プログラム、方法であっても、上記携帯電話検知システムと同様に作用するため、上述した本発明の目的を達成することができる。
【発明の効果】
【００２６】
本発明は、以上のように構成され機能するので、これによると、ＧＰＳ機能を用いなくとも、所定の空間にて携帯電話の存在を高精度に検知することができる、という従来にない優れた効果を有し、従って、携帯電話を所持している人の検知を行ったり、携帯電話の電源が入っていることの検知を行うことができ、種々の用途に利用することが可能である。
【発明を実施するための最良の形態】
【００２７】
本発明は、携帯電話やＰＨＳなどが発生する電波を感知することで、所定の空間において携帯電話の存在を検知する、ということに特徴を有する。そして、このことを利用したシステムとして、携帯電話の普及に伴い、不法侵入者の多くが所持している携帯電話を留守宅にて検知し、セキュリティ会社に通報するとともに、不法侵入者の手がかりを知る、というセキュリティシステムを実施例１にて説明する。また、電源の入れられた携帯電話によって航空機の運行の妨げとならないよう、搭乗する人の電源が入れられた携帯電話を検知する安全対策システムを実施例２にて説明する。但し、本発明は、必ずしも上記システムに利用されることに限定されない。
【実施例１】
【００２８】
本発明の第１の実施例を、図１乃至図４を参照して説明する。本実施例では、携帯電話の存在を検知するシステム（携帯電話検知システム）を住宅や企業などに設置し、居住者が留守の部屋に侵入する不法侵入者を検知する、というセキュリティシステムについて説明する。なお、以下では、一例として、ある住宅の部屋Ｈに取り付けられた場合を説明する。
【００２９】
そして、図１は、システム全体構成を示すブロック図であり、図２乃至図３は、システム作動時の様子を示す説明図である。図４は、システムの動作を示すフローチャートである。
【００３０】
［構成］
まず、図１に示すように、セキュリティシステム１は、住宅の所定の部屋Ｈ（所定の空間）に設置されたアンテナ１１と、このアンテナ１１に接続され電波の送受信を行う送受信機１２と、携帯電話の基地局とは異なる擬似的な基地局である擬似基地局装置１３と、部屋Ｈ内における携帯電話の存在つまり不法侵入者の存在を検知する判定装置１４（判定手段）と、不法侵入者の存在を通知する通報装置１５（通知手段）と、システム全体の電源のオンオフを行うスイッチ１６と、を備えている。
【００３１】
そして、上記各構成は監視対象となる部屋Ｈがある住宅に設置されている。但し、少なくともアンテナ１１だけは住宅の部屋内に設置されていればよく、他の装置などは、住宅外やさらに遠隔地に設置されていてもよい。また、各装置等１２，１３，１４，１５は、すべてが一台の装置（例えば、演算装置と記憶装置を備えたコンピュータ）にて構成されていてもよく、あるいは、それぞれが別々の装置（例えば、複数台のコンピュータ）にて構成され接続されていてもよい。
【００３２】
また、セキュリティシステム１は、ネットワークＮを介して、セキュリティ会社内装置２に接続されている。これにより、セキュリティ会社の警備員に、後述するように、不法侵入者の存在を通報することができる。但し、セキュリティシステム１は、警察のコンピュータや、住宅所有者の携帯電話などに接続され、不法侵入者の存在を通報してもよい。
【００３３】
以下、セキュリティシステム１の構成について、さらに詳述する。まず、アンテナ１１応じて、送受信機１２にて動作を制御されることにより、位置情報を含む電波を部屋１１内に送信する。このとき、送信される電波は指向性を有しているため、この部屋Ｈ内にのみ電波を送信させることが可能である。これにより、外部の他の電波との干渉を低減させることができる。なお、さらに外部電波との干渉を低減させるために、不法侵入者を検知したい部屋Ｈの壁面を遮蔽し、電波暗室状態にしてもよい。
【００３４】
また、アンテナ１１は、送信した電波に含まれる位置情報に対して携帯電話から発信される位置登録要求データを含む送信データを受信する。そして、この受信した送信データは、送受信機１２を介して擬似基地局装置１３に通知される。
【００３５】
さらに、アンテナ１１からは、微弱電波が送信されるよう送受信機１２あるいは擬似基地局装置１３にて設定されている。例えば、電波の強度は、当該電波が部屋Ｈ外に漏れない程度の強さであるとよい。これにより、外部にて通信が混乱することを抑制できる。なお、微弱電波は、電波法などの規制が少ないため好適である。
【００３６】
なお、アンテナ１１から送信される電波は、携帯電話にて受信可能な通信プロトコルに対応可能な電波であるが、この通信プロトコルは、一定の時間ごとに切り替えられ、種々の携帯電話にて受信可能なよう設定される。これについては後述する。
【００３７】
次に、擬似基地局装置１３について説明する。擬似基地局装置１３は、部屋Ｈの位置する場所とは異なる場所、特に、存在しない場所の位置情報を生成し、これを所定のプロトコルに載せた送信データを生成する。そして、この送信データを送受信機１２を介してアンテナ１１から部屋Ｈ内に送信する。このとき、擬似基地局装置１３は、携帯電話の通信を中継する実在の基地局とは異なり、この部屋Ｈに対してのみ存在しない位置情報を送信する擬似的な基地局装置１３である。なお、擬似基地局装置１３は、予め種々の携帯電話にて利用可能な通信方式（周波数や方式）を表す通信方式データを記憶しており（通信方式データ記憶手段）、この通信方式データに基づいて、一定時間ごとに通信方式を切り替えて存在しない位置情報を送信している。但し、この通信方式を切り替える機能は、送受信機１２に備えられていてもよい。
【００３８】
さらに、擬似基地局装置１３は、携帯電話からの送信データをアンテナ１１を介して受信して、判定装置１４に通知する機能を有する。
【００３９】
判定装置１４は、受信した携帯電話からの送信データが、擬似基地局装置１３に対する位置登録要求データであるか否かを判定して、位置登録要求データである場合に、部屋Ｈ内に携帯電話が存在していることを検知して、不法侵入者が存在していることを検知する。つまり、擬似基地局装置からの報知情報として流されている存在しない位置登録エリア情報を携帯電話が受信し、これに反応して携帯電話が位置登録のために存在しない位置登録エリアに位置登録要求を行うことで、不法侵入者が存在していることを検知することができる。このとき、携帯電話からの送信データに、擬似基地局装置１３が送信した存在しない位置情報が含まれている場合に、この携帯電話からの送信データが位置登録要求であると判定するとよい。なお、通常の携帯電話には、従来例にて説明したように、自己の登録している位置情報と受信した位置情報とが異なると、受信した位置情報と共に携帯電話の識別情報を基地局装置に送信する位置登録機能が備わっているが、かかる機能を利用することで、後述するように、携帯電話から位置登録要求データが送信される。
【００４０】
但し、携帯電話の検知方法は、必ずしも上述した方法に限定されない。例えば、単に、擬似基地局装置１３が部屋Ｈに設置したアンテナ１１を介して電波を受信した場合に、携帯電話つまり不法侵入者が存在すると判定してもよい。
【００４１】
また、判定装置１４は、携帯電話からの送信データ内に含まれる当該携帯電話の識別情報（ＩＤ）を抽出し、不法侵入者有りの通知と共に、抽出したＩＤを通報装置１５に通知する。
【００４２】
通報装置１５は、不法侵入者の存在をセキュリティ会社内装置２にネットワークＮを介して通知する。このとき、部屋Ｈを特定する情報、上記不法侵入者の携帯電話のＩＤを通知する。
【００４３】
すると、セキュリティ会社内装置２では、上記住宅ＨやＩＤを表示装置２１に表示して警備員に知らせたり、ハードディスクなどの記憶装置２２に記憶しておく。
【００４４】
なお、ＳＷ１６（スイッチ）は、部屋Ｈの壁などに設置されており、例えば、鍵を挿入してシステムをオンオフする装置である。つまり、部屋Ｈの居住者は、外出するときにＳＷ１６をオンにしてセキュリティシステムを作動させ、帰宅時にＳＷ１６をオフにしてその作動を停止させる。
【００４５】
ここで、上述した送受信機１２、擬似基地局装置１３、判定装置１４、通報装置１５に備わっている各機能、及び、各装置等１２〜１５による下記に説明するような動作は、所定のプログラムが各装置等１２〜１５を構成する演算装置に組み込まれることにより実現される。
【００４６】
［動作］
次に、上記構成のセキュリティシステムの動作を、図２乃至図４を参照して説明する。まず、部屋Ｈの居住者は、外出時にＳＷ１６（スイッチ）をオンにすることで、セキュリティシステム１を作動させる（ステップＳ１にて肯定判断）。すると、擬似基地局装置１３にて、存在しない位置情報が作成され、プロトコルに載せた送信データが、送受信機１２を通じて監視する部屋Ｈの天井等に取り付けられた指向性の高いアンテナ１１から微弱な電波Ｄ１として送信される（ステップＳ２、電波送信工程、図２の矢印Ｙ１及び符号Ｄ１参照）。そして、この電波Ｄ１は、一定時間ごとに携帯電話のキャリアが提供している周波数・方式が切り替えられ、繰り返し部屋Ｈ内に送信される（ステップＳ３にて肯定判断後、ステップＳ４，Ｓ２）。
【００４７】
続いて、部屋Ｈ内に不法侵入者３が侵入し、この侵入者３が所持している携帯電話３１の電源が入れられており、待ち受け状態にあるとする。すると、図２に示すように、携帯電話３１は部屋Ｈ内に送信されている電波Ｄ１を受信し、これに含まれている位置情報と、既に保持している位置情報とを比較する。このとき、アンテナ１１から送信されている位置情報は存在しない位置を表す位置情報であるため、既に保持している位置情報と異なる。すると、図３に示すように、携帯電話３１から、位置情報を登録するための情報（位置登録要求データ）を含んだ電波Ｄ２が送信される。この携帯電話３１からの送信データＤ２は、アンテナ１１にて受信され、送受信機１２を通じて擬似基地局装置１３に送られる（ステップＳ５にて肯定判断、送信データ受信工程、図３の矢印Ｙ２参照）。
【００４８】
続いて、携帯電話３１からの送信データは、擬似基地局装置１３から判定装置１４に送られ（図３の矢印Ｙ３参照）、この判定装置１４にて、送信データに存在しない位置情報が含まれているか否かを調べる。そして、擬似基地局装置１３にて生成した存在しない位置情報が有った場合には、この携帯電話３１からの送信データは、擬似基地局装置１３に対する位置登録要求データであると判定する（ステップＳ６）。つまり、受信した送信データは、監視している部屋Ｈからの送信データであり、外部からの電波ではないと判定し、部屋Ｈ内に携帯電話３１つまり不法侵入者３が存在ことを検知する（携帯電話検知工程）。
【００４９】
その後、判定装置１４にて、受信した送信データから携帯電話３１を識別するＩＤを抽出し（ステップＳ７）、通報装置１５に通知する。すると、通報装置１５にて、抽出されたＩＤがネットワークＮを介してセキュリティ会社内装置２に送信され（ステップＳ８）、当該セキュリティ会社内装置２の表示装置２１に表示され、また、記憶装置２２に記憶される。これに対して、セキュリティ会社は、警備員を派遣したり、警察に通報するなどの対策を採る。
【００５０】
なお、仮に、居住者が部屋Ｈに帰った際には、ＳＷ１６（スイッチ）をオフにすることで、無用な通報を避けることができる。
【００５１】
このようにすることにより、仮に、不正に入手した鍵を使って不法侵入者３が侵入したとしても、当該不法侵入者３が携帯電話３１を所持し、電源を入れているだけで、侵入者３自体を検知することができ、セキュリティ会社に通報することができる。このとき、電波を使用して検知するため、ＴＶカメラのように、不法侵入者から見える位置に設置する必要はなく、監視していることを気づかれることも抑制できる。また、不法侵入者３の携帯電話３１から送信されたデータから、当該携帯電話３１のＩＤを抽出することで、携帯電話事業者と協力して、侵入者を特定することも可能である。
【００５２】
さらに、仮に、本システムの導入を知られたとしても、不法侵入者は携帯電話の電源をオフにする必要があり、これによって、不法侵入者が外部協力者との連携を未然に防ぐことができる。
【００５３】
なお、上記構成に加えて、判定装置１４にて不法侵入者を検知した際に、通報装置１５からの指令によって部屋Ｈ内にブザーを出力する警報器を設置してもよい。
【実施例２】
【００５４】
次に、本発明の第２の実施例を、図５乃至図８を参照して説明する。本実施例では、携帯電話の存在を検知するシステム（携帯電話検知システム）を空港の搭乗通路４の天井に設置し、搭乗者の電源が入れられた状態の携帯電話を検知する、という安全対策システムについて説明する。
【００５５】
そして、図５は、システム全体構成を示すブロック図であり、図６乃至図７は、システム作動時の様子を示す説明図である。図８は、システムの動作を示すフローチャートである。
【００５６】
［構成］
まず、図５に示すように、安全対策システム１は、搭乗通路４の天井に設置されたアンテナ５１と、このアンテナ５１に接続され電波の送受信を行う送受信機５２と、携帯電話の基地局とは異なる擬似的な基地局である擬似基地局装置５３と、搭乗通路４を通過する飛行機への搭乗者が所持する携帯電話の電源が入れられた状態であることを検知する判定装置５４（判定手段）と、電源が入れられた携帯電話の存在を通知する通知装置５５（通知手段）と、システム全体の電源のオンオフを行うＳＷ５６（スイッチ）と、を備えている。さらに、搭乗通路４には、搭乗者あるいは搭乗案内者に、携帯電話の電源が入れられた状態であることの警報を行う警報器５７と、そのことを表示するモニタ５８と、が備えられている。
【００５７】
そして、各機器５１〜５５は、上述した実施例１におけるものと同様の機能を有する。なお、通知装置５５は、通報装置１５とほぼ同様の機能を有するが、さらに、警報器５７に対して警報ブザーを出力するよう指令を発する機能を有する。
【００５８】
［動作］
次に、上記構成の安全対策システムの動作を、図６乃至図８を参照して説明する。まず、空港職員や航空会社職員である搭乗案内者は、乗客の搭乗案内時にＳＷ５６（スイッチ）をオンにすることで、安全対策システムを作動させる（ステップＳ１１にて肯定判断）。すると、擬似基地局装置５３にて、存在しない位置情報が作成され、プロトコルに載せた送信データが、送受信機５２を通じて監視する搭乗通路４の天井等に取り付けられた指向性の高いアンテナ４から微弱な電波Ｄ１１として送信される（ステップＳ１２、電波送信工程、図６の矢印Ｙ１１及び符号Ｄ１１参照）。そして、この電波Ｄ１１は、一定時間ごとに携帯電話のキャリアが提供している周波数・方式が切り替えられ、繰り返し搭乗通路４上に送信される（ステップＳ１３にて肯定判断後、ステップＳ１４，Ｓ１２）。
【００５９】
続いて、搭乗ゲート４１から搭乗口４２に向かって搭乗通路４上に搭乗者６が進入し、搭乗者６が所持している携帯電話６１の電源が入れられており、待ち受け状態にあるとする。すると、図６に示すように、携帯電話６１は搭乗通路４上に送信されている電波Ｄ１１を受信し、これに含まれている位置情報と、既に保持している位置情報とを比較する。このとき、アンテナ５１から送信されている位置情報は存在しない位置を表す位置情報であるため、既に保持している位置情報と異なる。すると、図７に示すように、携帯電話６１からは、位置情報を登録するための情報（位置登録要求データ）を含んだ電波Ｄ１２が送信される。この携帯電話６１からの送信データＤ１２は、アンテナ５１にて受信され、送受信機５２を通じて擬似基地局装置５３に送られる（ステップＳ１５にて肯定判断、送信データ受信工程、図７の矢印Ｙ１２参照）。
【００６０】
続いて、携帯電話６１からの送信データは、擬似基地局装置５３から判定装置５４に送られ（図７の矢印Ｙ１３参照）、この判定装置５４にて、送信データに存在しない位置情報が含まれているか否かを調べる。そして、擬似基地局装置５３にて生成した存在しない位置情報が有った場合には、この携帯電話６１からの送信データは、擬似基地局装置５３に対する位置登録要求データであると判定する（ステップＳ１６）。つまり、受信した送信データは、監視している搭乗通路４からの送信データであり、外部からの電波ではないと判定し、搭乗者６の携帯電話６１の電源が入れられた状態であることを検知する（携帯電話検知工程）。
【００６１】
その後、判定装置５４にて、受信した送信データから携帯電話６１を識別するＩＤを抽出し（ステップＳ１７）、通知装置５５に通知する。すると、通知装置５５にて、抽出されたＩＤは、搭乗口５８に設置されたモニタ５８に通知され、当該モニタ５８に表示される。さらに、警報器５７に対して警報ブザーを発するよう指令が出され、これにより、警報器５７が鳴り、搭乗者あるいは搭乗案内者に知らせることができる（ステップＳ１８、図７の矢印Ｙ１３参照）。
【００６２】
なお、本システムを解除する場合には、ＳＷ５６（スイッチ）をオフにすることで、無用な通報を避けることができる。
【００６３】
このようにすることにより、電源が入れられた状態の携帯電話が飛行機内に持ち込まれることを抑制することができ、これにより、飛行機の運行の妨げとなることを抑制することができる。
【産業上の利用可能性】
【００６４】
本発明である携帯電話検知システムは、上述した実施例に示すように、住宅や事業所などのセキュリティシステムや空港における安全対策システムとして利用することができ、産業上の利用可能性を有する。
【図面の簡単な説明】
【００６５】
【図１】実施例１におけるセキュリティシステムの構成を示すブロック図である。
【図２】図１に開示したセキュリティシステムの作動状態を示す説明図である。
【図３】図１に開示したセキュリティシステムの作動状態を示す説明図である。
【図４】図１に開示したセキュリティシステムの動作を示すフローチャートである。
【図５】実施例２における安全対策システムの構成を示すブロック図である。
【図６】図５に開示した安全対策システムの作動状態を示す説明図である。
【図７】図５に開示した安全対策システムの作動状態を示す説明図である。
【図８】図５に開示した安全対策システムの動作を示すフローチャートである。
【符号の説明】
【００６６】
１  セキュリティシステム
２  セキュリティ会社内装置
３  不法侵入者
４  搭乗通路
６  搭乗者
１１，５１  アンテナ
１２，５２  送受信機
１３，５３  擬似基地局装置
１４，５４  判定装置
１５  通報装置
１６，５６  ＳＷ（スイッチ）
２１  表示装置
２２  記録装置
３１  携帯電話
５５  通知装置
５７  警報器
５８  モニタ
Ｈ  部屋
Ｎ  ネットワーク
【図１】
2007134881.tif 000003
【図２】
2007134881.tif 000004
【図３】
2007134881.tif 000005
【図４】
2007134881.tif 000006
【図５】
2007134881.tif 000007
【図６】
2007134881.tif 000008
【図７】
2007134881.tif 000009
【図８】
2007134881.tif 000010